(57)【要約】【課題】浸水した後であっても安全に使用することができる電源装置を提供することを課題とする。【解決手段】電源装置１は、防水ケースと、固定部材２とを備える。防水ケースは、収納ケース１１と蓋１２とを備え、蓋１２が閉じているときに所定の防水基準を満たす。バッテリ３は、防水ケースに収納される。固定部材２は、収納ケース１１内でバッテリ３を固定するために用いられる。バッテリ３は、固定部材２の底板２２に固定される。側板２３，２４は、互いに対向しており、底板２２の端から上方向に延びている。天板２０は、側板２３，２４の上に載置される。天板２０が収納ケース１１の開口に合わせて形成されるため、固定部材２が収納ケース１１に収納されたときに、天板２０の周縁が、収納ケース１１の内壁に接触する。これにより、天板２０の水平方向の移動が抑制されるため、固定部材２が収納ケース１１の中で水平方向に移動することが抑制される。【選択図】図４
2013206816.tif 000002
【特許請求の範囲】
【請求項１】
２次電池と、
前記２次電池が固定される固定部材と、
蓋と、前記固定部材を収納する収納ケースとを有し、前記蓋が前記収納ケースの開口を塞ぐことにより所定の防水基準を満たす防水ケースと、
を備え、
前記固定部材は、
前記２次電池が取り付けられる底板と、
前記底板から上方に延びる第１の側板と、
前記底板から上方に延び、前記第１の側板に対向する第２の側板と、
前記第１の側板の上端から、前記第１の側板が前記第２の側板に対向する方向と反対の方向に延びる第１の支持板と、
前記第２の側板の上端から、前記第２の側板が前記第１の側板に対向する方向と反対の方向に延びる第２の支持板と、
を備え、
前記固定部材が前記収納ケースに収納されたときに、前記底板が前記収納ケースの内部の底面に対向し、前記第１の支持板及び前記第２の支持板が前記収納ケースの内壁に接触する電源装置。
【請求項２】
請求項１に記載の電源装置であって、
前記第１の支持板及び前記第２の支持板は、一体的に形成された天板であり、
前記天板は、前記第１の側板及び前記第２の側板の上端に載置される電源装置。
【請求項３】
請求項１または請求項２に記載の電源装置であって、さらに、
前記蓋の裏面に取り付けられ、前記蓋が前記収納ケースの開口を塞ぐときに前記天板の上面に接触する抑止部材、
を備える電源装置。
【請求項４】
請求項２または請求項３に記載の電源装置であって、さらに、
前記天板の周縁に設けられた衝撃吸収部材を備え、
前記固定部材が前記収納ケースに収納されたときに、前記衝撃吸収部材が前記収納ケースの内壁に接触する電源装置。
【請求項５】
請求項２ないし請求項４に記載の電源装置であって、さらに、
前記天板を上下方向に貫通する孔が形成される電源装置。
【請求項６】
請求項１ないし請求項５のいずれかに記載の電源装置であって、さらに、
前記収納ケースの内部の底面に載置され、前記内部の底面と平行な方向に対して復元力を有する復元性部材、
を備え、
前記固定部材が前記収納ケースに収納されたときに、前記底板が前記復元性部材の上に載置される電源装置。
【発明の詳細な説明】
【技術分野】
【０００１】
本発明は、非常用電源として用いることができる電源装置に関する。
【背景技術】
【０００２】
災害などにより停電が発生したときに備えて、地方自治体や病院などは、非常用電源を予め用意している。たとえば、ディーゼル発電機が、非常用電源として用いられている。ディーゼル発電機は、燃料を供給し続けることにより、比較的大きな電力を安定して供給することができる。しかし、ディーゼル発電機は、騒音が発生する、排気ガスが発生するなどの問題がある。
【０００３】
特許文献１には、太陽電池アレイを用いた非常用電源システムが開示されている。特許文献１に係る非常用電源システムは、太陽電池アレイを傾斜するようにして保持し、太陽電池アレイを電源装置に接続する。これにより、照明、パーソナルコンピュータ（ＰＣ）などの電気機器を使用することができる。特許文献１に係る非常用電源システムでは、太陽電池アレイが折りたたみ可能となっているため、保管時の省スペース化を実現するとともに、運搬が容易である。
【先行技術文献】
【特許文献】
【０００４】
【特許文献１】特開２００６−７３６０６号公報
【発明の概要】
【発明が解決しようとする課題】
【０００５】
上述の非常用電源システムは、通常は、倉庫などに保管される。しかし、保管場所が洪水などにより浸水した場合、ユーザは、浸水した後の非常用電源を使用することができない。
【０００６】
そこで、本発明は、上記問題点に鑑み、浸水した後であっても安全に使用することができる電源装置を提供することを目的とする。
【課題を解決するための手段】
【０００７】
上記課題を解決するため、請求項１記載の発明は、電源装置であって、２次電池と、前記２次電池が固定される固定部材と、蓋と、前記固定部材を収納する収納ケースとを有し、前記蓋が前記収納ケースの開口を塞ぐことにより所定の防水基準を満たす防水ケースと、を備え、前記固定部材は、前記２次電池が取り付けられる底板と、前記底板から上方に延びる第１の側板と、前記底板から上方に延び、前記第１の側板に対向する第２の側板と、前記第１の側板の上端から、前記第１の側板が前記第２の側板に対向する方向と反対の方向に延びる第１の支持板と、前記第２の側板の上端から、前記第２の側板が前記第１の側板に対向する方向と反対の方向に延びる第２の支持板と、を備え、前記固定部材が前記収納ケースに収納されたときに、前記底板が前記収納ケースの内部の底面に対向し、前記第１の支持板及び前記第２の支持板が前記収納ケースの内壁に接触する。
【０００８】
請求項２記載の発明は、請求項１に記載の電源装置であって、前記第１の支持板及び前記第２の支持板は、一体的に形成された天板であり、前記天板は、前記第１の側板及び前記第２の側板の上端に載置される。
【０００９】
請求項３記載の発明は、請求項１または請求項２に記載の電源装置であって、さらに、前記蓋の裏面に取り付けられ、前記蓋が前記収納ケースの開口を塞ぐときに前記天板の上面に接触する抑止部材、を備える。
【００１０】
請求項４記載の発明は、請求項２または請求項３に記載の電源装置であって、さらに、前記天板の周縁に設けられた衝撃吸収部材を備え、前記固定部材が前記収納ケースに収納されたときに、前記衝撃吸収部材が前記収納ケースの内壁に接触する。
【００１１】
請求項５記載の発明は、請求項２ないし請求項４に記載の電源装置であって、さらに、前記天板を上下方向に貫通する孔が形成される電源装置。
【００１２】
請求項６記載の発明であって、請求項１ないし請求項５のいずれかに記載の電源装置であって、さらに、前記収納ケースの内部の底面に載置され、前記内部の底面と平行な方向に対して復元力を有する復元性部材、を備え、前記固定部材が前記収納ケースに収納されたときに、前記底板が前記復元性部材の上に載置される。
【発明の効果】
【００１３】
本発明に係る電源装置において、２次電池が、蓋と収納ケースを備えるとともに所定の防水基準を満たす防水ケースに収納される。電源装置が浸水したときに、水が防水ケースの内部に侵入することがないため、ユーザは、浸水後の電源装置であっても安全に使用することができる。
【００１４】
固定部材の底板に２次電池が取り付けられ、第１の側板及び第２の側板が、底板から上方に延びるとともに、互いに対向する。第１の支持板は、第１の側板の上端から、第１の側板が第２の側板に対向する方向と反対の方向に延びる。第２の支持板は、第２の側板の上端から、第２の側板が第１の側板に対向する方向と反対の方向に延びる。固定部材が収納ケースに収納されるとき、第１の支持板及び第２の支持板が収納ケースの内壁に接触する。固定部材の水平方向の移動が抑制されるため、本発明に係る電源装置が強い衝撃を受けたとしても、防水ケース内における２次電池の配置が維持される。
【図面の簡単な説明】
【００１５】
【図１】本発明の実施の形態に係る電源装置の外観斜視図である。
【図２】図１に示す電源装置の使用時における外観斜視図である。
【図３】図２に示す電源装置の上面図である。
【図４】図３に示す電源装置の断面図である。
【図５】図４に示す固定部材の上面図である。
【図６】図５に示す固定部材の断面図である。
【図７】図３に示す電源装置の断面図である。
【図８】本発明の実施の形態に係る電源装置の変形例の断面図である。
【発明を実施するための形態】
【００１６】
以下、図面を参照しつつ、本発明の実施の形態を説明する。
【００１７】
｛電源装置１の外観｝
図１は、実施の形態に係る電源装置１の外観斜視図である。図１に示すように、電源装置１において、バッテリ、インバータなどが防水ケース１０の中に収納される。
【００１８】
防水ケース１０は、プラスチック製のケースであり、収納ケース１１と、蓋１２とを備える。収納ケース１１には、バッテリ、インバータなどを収納するための空間が形成されている。蓋１２が収納ケース１１の開口を塞ぐようにして閉じることにより、防水ケース１０は、内部への水の浸入を防ぐことができる。
【００１９】
防水ケース１０において、収納ケース１１の外部の底に車輪を取り付け、収納ケース１１の側面１１ａに伸縮式の取っ手を取り付けてもよい。これにより、ユーザは、電源装置１を容易に運搬することができる。
【００２０】
防水ケース１０は、所定の保護規格に準拠しており、蓋１２が閉じた状態で内部への異物の侵入を防ぐことができる。防水ケース１０は、ＩＥＣ（International Electrotechnical Commission：国際電気標準会議）及びＪＩＳ（Japanese Industrial Standards：日本工業規格）により定められた「ＩＰ−６７」と呼ばれる規格を満たしている。ＩＰ−６７は、粉塵が内部に侵入せず、かつ、所定の圧力及び時間で水中に浸漬しても収納物が有害な影響を受けないという規格である。
【００２１】
図２は、使用時における電源装置１の外観斜視図である。図２において、蓋１２の表示を省略している。図１及び図２に示していないが、蓋１２は、ヒンジにより収納ケース１１に取り付けられており、収納ケース１１に対して開閉可能となっている。ユーザは、電源装置１を使用する場合、蓋１２を開け、照明などの電気機器の電源コードをインバータ４のコンセント４１に差し込む。これにより、ユーザは、コンセント４１に接続された電気機器を使用することができる。
【００２２】
電源装置１は、蓋１２が閉じられた上で倉庫など保管される。防水ケース１０が、ＩＰ−６７の規格を満たしているため、防水ケース１０に収納されたバッテリ、インバータなどは、浸水の影響を受けない。したがって、ユーザは、電源装置１が浸水した後であっても、電源装置１を安全に使用することができる。
【００２３】
また、後述するように、バッテリ、インバータなどは、防水ケース１０の防水性を損なうことなく、防水ケース１０の中で移動しないように固定される。したがって、電源装置１が横倒しとなったり、落下したりするようなことがあっても、電源装置１の内部でバッテリ、インバータなどの配置は変わらない。電源装置１において、収納されている機器同士をつなぐ電機配線が切断されたり、バッテリの液漏れなどが発生したりすることを防止できる。したがって、電源装置１が強い衝撃を受けた後であっても、ユーザは、電源装置１を安全に使用することができる。
【００２４】
｛電源装置１の内部構成｝
図３は、図２に示す電源装置１の上面図である。図３において、蓋１２の表示を省略している。図４は、図３に示す電源装置１のＡ−Ａ断面図である。図４では、蓋１２を閉じたときの電源装置１のＡ−Ａ断面を示している。以下、図３及び図４を参照しながら、電源装置１の内部の構成を詳しく説明する。
【００２５】
電源装置１は、防水ケース１０の他に、固定部材２と、バッテリ３と、インバータ４と、コンバータ５と、充放電コントローラ６と、換気ファン７と、免震ゴム８，８と、抑止部材３１，３１とを備える。なお、図３において、バッテリ３、インバータ４、コンバータ５、充放電コントローラ６及び換気ファン７の各機器の間で接続される電気配線の表示を省略している。
【００２６】
固定部材２は、バッテリ３が収納ケース１１の中で移動しないように、バッテリ３を固定する。バッテリ３の他に、インバータ４、コンバータ５、充放電コントローラ６及び換気ファン７が、固定部材２に固定される。
【００２７】
バッテリ３は、リチウムイオン電池、シリコンバッテリなどの２次電池である。なお、電源装置１は、複数のバッテリ３を備えていてもよい。
【００２８】
インバータ４は、バッテリ３に接続され、バッテリ３に充電された直流電力を、家庭用電源として用いられている交流電力（１００Ｖ）に変換する。バッテリ３により供給される直流電力の電圧は、バッテリ３の充電量によって変化する。インバータ４のコンセント４１に接続された電気機器は、インバータ４により生成された交流電力の供給を受けて動作することができる。
【００２９】
コンバータ５は、ＡＣ入力プラグＰ１及びバッテリ３に接続されており、家庭用電源を用いてバッテリ３を充電するときに動作する。具体的には、コンバータ５は、ＡＣ入力プラグＰ１から入力される交流電力（１００Ｖ）を、バッテリ３の仕様に応じた直流電力に変換する。また、電源装置１が複数のバッテリ３を備える場合、コンバータにより生成される直流電力の電圧は、バッテリ３の数に応じて変化する。バッテリ３は、コンバータ５により生成された直流電力を充電する。
【００３０】
充放電コントローラ６は、太陽電池パネル（図示省略）から供給される直流電力（１７．５Ｖ）を用いてバッテリ３を充電するときに動作する。つまり、太陽電池パネルの電力コードがＤＣ入力プラグＰ２に差し込まれることにより、直流電力（１７．５Ｖ）が太陽電池パネルから電源装置１に供給される。充放電コントローラ６は、太陽電池パネルから供給される直流電力（１７．５Ｖ）の電圧を変換し、電圧が変換された直流電力をバッテリ３に充電する。また、充放電コントローラ６は、インバータ４又はコンバータ５が動作するとき、バッテリ３に充電されている電力を換気ファン７に供給する。具体的には、充放電コントローラ６は、バッテリ３に充電されている直流電力を、換気ファン７の動作に適した電力に変換して、換気ファン７に供給する。
【００３１】
換気ファン７は、収納ケース１１に収納されたバッテリ３、インバータ４及びコンバータ５を冷却するために用いられる。バッテリ３の充電時には、バッテリ３及びコンバータ５の温度が上昇する。バッテリ３の放電時には、バッテリ３及びインバータ４の温度が上昇する。収納ケース１１の内部の空気が換気ファン７により入れ替えられることにより、バッテリ３、インバータ４及びコンバータ５が冷却される。この結果、バッテリ３、インバータ４及びコンバータ５の誤動作を防ぐことができる。
【００３２】
免震ゴム８，８は、収納ケース１１の底面１１ｂに載置される。固定部材２は、防水ケース１０に収納されているときに、免震ゴム８，８の上に載置される。免震ゴム８，８は、固定部材２の底板２２の水平方向の移動を規制する。
【００３３】
蓋１２の裏側には、抑止部材３１，３１が設けられる。抑止部材３１，３１は、蓋１２が閉じているときに、天板２０の上面に接触して天板２０を上方から抑える。これにより、電源装置１を保管しているとき（蓋１２が閉じているとき）、固定部材２の上下方向の移動を規制することができる。抑止部材３１は、たとえば、発泡スチロール、スポンジなど衝撃を吸収できる素材で作成される。抑止部材３１は、防水ケース１０の防水性を損なわないように、接着剤などで蓋１２の裏面に固定される。
【００３４】
｛固定部材２の構成｝
図５は、固定部材２の上面図である。図６は、図５に示す固定部材２のＣ−Ｃ断面図である。以下、図５及び図６を参照しながら、固定部材２の構成を詳しく説明する。固定部材２は、天板２０と、バッテリ保持部材２１と、リブ２７，２８とを備える。
【００３５】
まず、バッテリ保持部材２１について説明する。バッテリ保持部材２１は、略Ｕ字型の形状であり、底板２２と、側板２３，２４と、取り付け板２５，２６とを備える。１枚の金属板（ステンレス板、アルミ板など）を折り曲げることにより、バッテリ保持部材２１を形成することができる。
【００３６】
底板２２は、収納ケース１１の内部の底面１１ｂに対向して配置される（図４参照）。側板２３は、底板２２の端部２２ａから垂直に上に延びている。側板２４は、底板２２の端部２２ｂから垂直に上に延びている。端部２２ｂは、底板２２の端部２２ａの反対側に位置する。側板２３，２４は、互いに対向する。
【００３７】
取り付け板２５，２６は、固定部材２が防水ケース１０に収納されたときに、底面１１ｂに対向する（図４参照）。取り付け板２５は、側板２３の上端２３ａから矢印Ｅで示される方向に折り曲げられることにより形成される。取り付け板２６は、側板２４の上端２４ａから矢印Ｆで示される方向に折り曲げられることにより形成される。
【００３８】
次に、天板２０について説明する。天板２０は、１枚の金属板であり、取り付け板２５，２６の上に載置される。天板２０のサイズは、収納ケース１１の開口１１０（図３参照）のサイズに合わせて作成される。天板２０は、ボルト及びナットなどにより、取り付け板２５，２６に固定される。
【００３９】
天板２０は、支持部２０１，２０２を含む。支持部２０１，２０２は、保護部材２０３を介して収納ケース１１の内壁１１ｃ，１１ｄ（図４参照）に接触することにより、固定部材２が矢印Ｅ，Ｆで示される方向に移動しないように、固定部材２を支持する。支持部２０１は、底面１１ｂに対向しており、側板２３の上端２３ａから矢印Ｅで示される方向に延びている。矢印Ｅは、側板２３が側板２４に対向する方向と反対の方向を示す。支持部２０２は、底面１１ｂに対向しており、側板２４の上端２４ａから矢印Ｆで示される方向に延びている。矢印Ｆは、側板２４が側板２３に対向する方向と反対の方向を示す。
【００４０】
保護部材２０３が、図６に示すように、天板２０の周縁を囲むようにして取り付けられる。図６において、保護部材２０３のサイズを誇張して表示している。なお、図４では、保護部材２０３の表示を省略している。保護部材２０３は、ゴムなど、衝撃を吸収できる素材で作成される。
【００４１】
図５に示すように、天板２０には、天板２０を上下方向に貫通する貫通孔２０ｂ〜２０ｆが形成される。貫通孔２０ｂには、送風ファン７が嵌め込まれる。この結果、収納ケース１１の内部の空気は、貫通孔２０ｂを通って、収納ケース１１の外へ強制的に排出される。貫通孔２０ｃは、充放電コントローラ６を天板２０に嵌め込むために用いられる。貫通孔２０ｄは、インバータ４の上面に設けられたコンセント４１を露出させるために形成される。貫通孔２０ｅには、ＡＣ入力プラグＰ１が嵌め込まれる。貫通孔２０ｆには、ＤＣ入力プラグＰ２が嵌め込まれる。
【００４２】
リブ２７，２８は、直角三角形状の金属板である。リブ２７，２８は、電源装置１が強い衝撃を受けた際に、固定部材２の形状が歪むことを防止する。リブ２７の直角を挟む２辺が側板２３及び取り付け板２５に固定される。リブ２８の直角を挟む２辺が側板２４及び取り付け板２６に固定される。
【００４３】
｛固定部材２の収納｝
図７は、図３に示す電源装置１のＢ−Ｂ断面図である。図７では、蓋１２が閉じられているときの電源装置１のＢ−Ｂ断面を示している。以下、図４及び図７を参照しながら、固定部材２の収納について説明する。
【００４４】
バッテリ３が、底板２２の上面に固定される。インバータ４が、側板２３の内側の面に固定される。インバータ４の上部が貫通孔２０ｄに嵌め込まれる。コンバータ５が、側板２４の内側の面に固定される。充放電コントローラ６が、貫通孔２０ｃに嵌め込まれた上で天板２０に固定される。送風ファン７が、貫通孔２０ｂに嵌め込まれた上で天板２０に固定される。バッテリ３、インバータ４、コンバータ５、充放電コントローラ６及び送風ファン７の固定方法は、特に限定されない。
【００４５】
インバータ４が、バッテリ３に接続される。コンバータ５が、バッテリ３及びＡＣ電源プラグＰ１に接続される。充放電コントローラ６が、バッテリ３と、ＤＣ電源プラグＰ２と、送風ファン７とに接続される。
【００４６】
免震ゴム８，８が、収納ケース１１の底面１１ｂの上に載置される。各機器が固定された固定部材２が、免震ゴム８，８の上に載置されることにより、収納ケース１１に収納される。また、側板２３と内壁１１ｃとの間の空間が、スポンジ、発泡スチロールなどの衝撃吸収部材で満たされる。側板２４と内壁１１ｄとの間の空間も同様である。ユーザは、電源装置１を使用しないときには、蓋１２を閉じた上で電源装置１を倉庫などに保管する。
【００４７】
このように、バッテリ３インバータ４、コンバータ５、充放電コントローラ６及び送風ファン７は、固定部材２に固定された上で、収納ケース１１に収納される。後述するように、固定部材２の水平方向及び上下方向の移動が抑制されるため、固定部材２は、収納ケース２に固定されない。バッテリ３などが、防水ケース１０を加工することなく、防水ケース１０内で固定されるため、防水ケース１０の防水性能を損なうことがない。
【００４８】
｛収納される機器の保護｝
以下、電源装置１の浸水、落下などが発生した場合であっても、防水ケース１０に収納されている機器が保護され、ユーザが電源装置１を安全に使用できる理由について説明する。
【００４９】
防水ケース１０は、上述のように、ＩＰ−６７の規格を満たしている。蓋１２が閉じられている電源装置１が浸水した場合、水は、防水ケース１０の内部に侵入しない。したがって、ユーザは、電源装置１が浸水した後であっても、電源装置１を安全に使用することができる。
【００５０】
電源装置１が、落下などにより強い衝撃を受けた場合であっても、電源装置１の内部の構造は維持される。以下、電源装置１の内部の構造が維持される理由について説明する。
【００５１】
まず、水平方向の衝撃が電源装置１に加わった場合を説明する。水平方向とは、図４及び図７において、天板２０が配置されている方向である。図４及び図７に示すように、収納ケース１１の内壁１１ｃ〜１１ｆが傾斜しているため、収納ケース１１の開口１１０は、収納ケース１１の底面１１ｂよりも広くなっている。天板２０が、開口１１０のサイズに合わせて作成されるため、固定部材２が収納ケース１１に収納されるときに、天板２０が開口１１０に嵌め込まれる。天板２０は、保護部材２０３を介して内壁１１ｃ〜１１ｆに接触する。この結果、水平方向の強い衝撃が電源装置１に加えられたとしても、天板２０の水平方向の移動が抑制される。
【００５２】
底板２２の移動は、免震ゴム８，８により抑制される。電源装置１が免震ゴム８，８を備えないと仮定した場合、天板２０の移動が抑制されたとしても、底板２２が移動して固定部材２の形状が歪むことが考えられる。実際には、底板２２が免震ゴム８，８の上に載置されているため、底板２２の水平方向の移動は、免震ゴム８，８により抑制される。また、底板２２が移動したとしても、底板２２は、免震ゴム８，８の復元力により元の位置に戻ることができる。
【００５３】
リブ２７，２８が、バッテリ保持部材２１に取り付けているため、底板２２の移動に伴って発生するバッテリ保持部材２１の歪みも抑制できる。
【００５４】
このように、電源装置１が水平方向に強い衝撃を受けたとしても、固定部材２の移動が規制される。また、固定部材２に生じる歪みが抑制されるため、固定部材２に固定された機器が落下することを防止できる。
【００５５】
次に、電源装置１が上下方向の衝撃を受けた場合を説明する。蓋１２が閉じているとき、蓋１２の裏面に取り付けられた抑止部材３１，３１が、天板２０の上面に接触する。したがって、上下方向の強い衝撃が電源装置１に加わった場合、固定部材２の上方向の移動は、抑止部材３１，３１によって規制される。固定部材２の下方向の移動は、免震ゴム８によって規制される。このように、固定部材２が上下方向に移動することが規制されるため、防止ケース１０に収納された機器の配置が維持される。
【００５６】
このように、電源装置１が強い衝撃を受けたとしても、収納されている各機器の配置が維持される。電源装置１の内部の電気配線が、バッテリ３などの移動により切断されることがないため、ユーザは、強い衝撃が電源装置１に加わった後でも、電源装置１を安全に使用できる。
【００５７】
以上説明したように、電源装置１は、バッテリ３、インバータ４、コンバータ５、充放電コントローラ６及び送風ファン７が固定された固定部材２を防水ケース１０に収納する。天板２０及び免震ゴム８が固定部材２の水平方向の移動を抑制し、免震ゴム８及び抑止部材３１が固定部材２の上下方向の移動を抑制するため、防水ケース１０の中での固定部材２の移動が制限される。電源装置１が強い衝撃を受けたとしても、電源装置１の内部の構成が維持されるため、ユーザは、電源装置１を安全に使用することができる。
【００５８】
上記実施の形態では、送風ファン７が貫通孔２０ａに嵌め込まれる例を説明したが、これに限られない。電源装置１は、送風ファン７を備えていなくてもよい。この場合であっても、電源装置１内部の空気が、貫通孔２０ａを通って外部に流出することが可能であるため、バッテリ３などを冷却することができる。
【００５９】
上記実施の形態では、天板２０が、収納ケース１１の内壁１１ｃ〜１１ｆに接触する例を説明したが、これに限られない。例えば、固定部材２において、取り付け板２５，２６が内壁１１ｃ，１１ｄに接触するようにしてもよい。この場合、固定部材２は、天板２０を備えなくてもよい。取り付け板２５，２６は、固定部材２が矢印Ｅ，Ｆで示される方向に移動することを抑制することができる。
【００６０】
上記実施の形態では、抑止部材３１，３１が発泡スチロール、スポンジなどの衝撃を吸できる素材である例を説明したが、これに限られない。たとえば、抑止部材３１，３１は、図８に示すように、金属板を蛇腹状に折り曲げた部材であってもよい。この場合、抑止部材３１の端部３１ａ，３１ａが蓋１２の裏面に固定される。蓋１２が閉じているときに、抑止部材３１の節３１ｂ，３１ｂが、天板２０の上面に接触するため、固定部材２の上下方向の移動を抑制することができる。図８では、節３１ｂ，３１ｂが側板２３，２４と平行となるように、抑止部材３１，３１が配置される例を示しているが、抑止部材３１，３１が配置される向きは、どの方向でもよい。
【００６１】
上記実施の形態では、１つの固定部材２が収納ケース１１に収納される例を説明しているが、これに限られない。電源装置１は、複数のバッテリ３を備える場合、複数の固定部材２を収納ケース１１に収納するようにしてもよい。この場合、１つの固定部材２に取り付けられるバッテリの数は、１つであってもよいし、２つ以上であってもよい。
【符号の説明】
【００６２】
１  電源装置
２  固定部材
３  バッテリ
４  インバータ
５  コンバータ
６  充放電コントローラ
７  送風ファン
１０  防水ケース
１１  収納ケース
１２  蓋
２０  天板
２１  バッテリ収納部材
２２  底板
２３，２４  側板
２５，２６  取り付け板
２７，２８  リブ
３１  抑止部材
２０３  保護部材
【図１】
2013206816.tif 000003
【図２】
2013206816.tif 000004
【図３】
2013206816.tif 000005
【図４】
2013206816.tif 000006
【図５】
2013206816.tif 000007
【図６】
2013206816.tif 000008
【図７】
2013206816.tif 000009
【図８】
2013206816.tif 000010